(57)【要約】【課題】  パソコン等のハードディスクを再利用できる一つの形態を提供することを一つの目的とする。【解決手段】  ポータブル式の音再生信号生成装置１０は、ハードディスク３０を収容するスペース２０ｃが設けられたケーシング２０と、前記したスペース２０ｃを臨む位置に設けられているとともにハードディスク３０と接続されるコネクタ１６と、情報端末装置と通信する手段と、情報端末装置から通信された情報をハードディスク３０に記憶させる手段と、コネクタ１６と接続されており、ハードディスク３０に記憶されている情報から音再生信号を生成する手段を有する。この装置は、ケーシング２０に開閉可能の蓋２２が設けられている。開かれたケーシング２０の開口は、ハードディスク３０が通過することができる大きさに設定されているとともに、前記したスペース２０ｃに連通している。【選択図】  図２
2005135468.tif 000002
【特許請求の範囲】
【請求項１】
ポータブル式の音再生信号生成装置であり、
ハードディスクを収容するスペースが設けられたケーシングと、
前記「ハードディスクを収容するスペース」を臨む位置に設けられており、ハードディスクと接続されるコネクタと、
情報端末装置と通信する手段と、
情報端末装置から通信された情報をハードディスクに記憶させる手段と、
コネクタと接続されており、ハードディスクに記憶されている情報から音再生信号を生成する手段とを備え、
ケーシングの一部が開閉可能であり、
開かれたケーシングの開口は、ハードディスクが通過することができる大きさに設定されているとともに、前記「ハードディスクを収容するスペース」に連通していることを特徴とする音再生信号生成装置。
【請求項２】
ケーシングに収容されるハードディスクは、ケーシングの前記開口に対応する位置に設けられている突出部を有することを特徴とする請求項１の音再生信号生成装置。
【請求項３】
ケーシングに固定されている固定部材を備え、
前記突出部は、ハードディスク本体に螺合しているネジであり、
固定部材は、ネジの頭のハードディスク本体側の面が当接するものであるとともに、ネジの頭のハードディスク本体側の面が当接していない状態では、ケーシングの前記開口の方向にハードディスク本体と一体となってネジが移動するのを妨げないことを特徴とする請求項２の音再生信号生成装置。
【請求項４】
ディスプレイと、
前記コネクタと接続されており、ハードディスクに記憶されている情報から映像再生信号を生成し、その映像再生信号に応じた映像をディスプレイで表示させる手段を備えることを特徴とする請求項１〜３のいずれかの音再生信号生成装置。
【発明の詳細な説明】
【技術分野】
【０００１】
本発明は、ハードディスクを収容することができ、そのハードディスクに記憶されている情報から音再生信号を生成する装置に関する。特に、ポータブル式の音再生信号生成装置に関する。
【背景技術】
【０００２】
近年、ポータブル式の音再生信号生成装置の中には、パソコン等の情報通信端末と通信できるものが存在する。この種の音再生信号生成装置の多くは、ハードディスクを内蔵しており、パソコン等の情報通信端末から音楽データを取り込んで記憶しておくことができる。ハードディスクに記憶されている音楽データから音再生信号が生成され、その音再生信号に応じた音をイヤホン等で聞くことができる。
以下の非特許文献１には、ハードディスクを内蔵する音再生信号生成装置が開示されている。
【非特許文献１】「アップル  ｉＰｏｄ」、［ｏｎｌｉｎｅ］、Ａｐｐｌｅ  Ｃｏｍｐｕｔｅｒ，Ｉｎｃ．、［平成１５年１０月２２日検索］、インターネット＜ＵＲＬ：http://www.Apple.co.jp/ipod/＞
【発明の開示】
【発明が解決しようとする課題】
【０００３】
本発明では、以下に記載する二つの目的のうちの少なくとも一方を実現できる音再生信号生成装置を提供する。
（１）近年、リサイクルを考慮した「ものづくり」は重要な開発テーマとなっている。本発明では、不要となったパソコン等のハードディスクを再利用できる一つの形態を提供することを一つの目的とする。
（２）音再生信号生成装置を利用するユーザーの中には、非常に多くの記憶容量を必要とするものもいれば、それほど多くの記憶容量を必要としないものも存在する。必要に応じて記憶容量を変えることができれば、より実用的な音再生信号生成装置を実現することができる。上記した非特許文献１に開示されている従来の音再生信号生成装置は、ハードディスクを固定的に装備しており、ハードディスクの記憶容量が決められている。本発明では、個々のユーザーが必要とする容量のハードディスクを備え付けることができる音再生信号生成装置を提供することを一つの目的とする。
【課題を解決するための手段】
【０００４】
本発明が提供する一つの技術は、ポータブル式の音再生信号生成装置である。この音再生信号生成装置は、ハードディスクを収容するスペースが設けられたケーシングを有する。また、前記した「ハードディスクを収容するスペース」を臨む位置に設けられており、ハードディスクと接続されるコネクタを有する。また、情報端末装置と通信する手段を有する。また、情報端末装置から通信された情報をハードディスクに記憶させる手段を有する。そして、コネクタと接続されており、ハードディスクに記憶されている情報から音再生信号を生成する手段を有する。この装置は、ケーシングの一部が開閉可能である。そして、開かれたケーシングの開口は、ハードディスクが通過することができる大きさに設定されているとともに、前記した「ハードディスクを収容するスペース」に連通している。
ここでいう「開閉可能」とは、開かれることが予定されていて容易に開閉することができることを意味する。
この装置を用いると、ケーシングを開けることによって、ハードディスクをケーシング内に挿入することができる。従って、例えば、ハードディスクを内蔵しておらず、ハードディスクを後付けすることができる音再生信号生成装置を提供することができる。パソコン等のハードディスクは、規格化された数種類のハードディスクのうちのいずれかである。この音再生信号生成装置によると、不要になった所定種類のハードディスクを後付けすることができる。パソコン等のハードディスクを再利用することができる。なお、後付けされたハードディスクは、ケーシング内から取出せないようにしてもよいし、再び取出せるようにしてもよい。
この装置は、ハードディスクを内蔵した状態で製造することもできる。この場合、ケーシングを開けることによって、ケーシング内のハードディスクを他のハードディスクに交換することができる。個々のユーザーの必要に応じてハードディスクを交換することができ、非常に実用的である。
【０００５】
なお、ハードディスクが交換可能である場合には、ケーシングに収容されるハードディスクは、ケーシングの前記した開口に対応する位置に設けられている突出部を有するものであることが好ましい。
ハードディスクの突出部は、ケーシングの開口に対応する位置に設けられている。従って、開かれたケーシングの開口から突出部を視認することができる。突出部が設けられていると、その突出部に対してケーシングの開口方向への引張力を加えることができる。例えば、突出部に係合する部材や工具を使ってハードディスクに引張力を加えることができる。ハードディスクに対して容易に引張力を加えることができる。
上記した音再生信号生成装置は、ケーシングに収容されているハードディスクの上記した突出部に係合される係合部材を備えることが好ましい。そして、この音再生信号生成装置は、係合部材がハードディスクの上記した突出部に係合している状態で、ケーシングの前記した開口の方向への引張力を係合部材に加えることができるものであることが好ましい。
係合部材に引張力を加えることでハードディスクをケーシング内から抜出すことができる。ハードディスクに直接的に力を加えなくてもハードディスクを抜出すことができ、非常に便利である。
【０００６】
上記した音再生信号生成装置は、ケーシングに固定されている固定部材を備えるようにしてもよい。そして、上記した突出部は、ハードディスク本体に螺合しているネジであってもよい。この固定部材は、ネジの頭のハードディスク本体側の面が当接するものである。さらに、この固定部材は、ネジの頭のハードディスク本体側の面が当接していない状態では、ケーシングの前記した開口の方向にハードディスク本体と一体となってネジが移動するのを妨げない。
この音再生信号生成装置は、ネジによってハードディスクをケーシング内に強く固定することができる。そうではあるが、ネジを少し緩めてネジの頭が固定部材に当接しなくなった状態では、ケーシングの開口方向の力をネジに加えることができる。これにより、ハードディスクをケーシングの開口方向に移動させることができる。この構成によると、ケーシングに収容されているハードディスクを容易に取出すことができる。
なお、音再生信号生成装置が上記した係合部材を備える場合は、その係合部材を上記したネジに係合させるようにしてもよい。例えば、ネジの頭より大きい孔を持つように係合部材を構成し、その孔にネジを係合させるようにしてもよい。
【０００７】
上記した音再生信号生成装置は、ディスプレイを備えるようにしてもよい。この場合、前記したコネクタに接続されており、ハードディスクに記憶されている情報から映像再生信号を生成し、その映像再生信号に応じた映像をディスプレイで表示させる手段をさらに備えるものであってもよい。
ハードディスクは大きな記憶容量を持つために、例えば映画のような大容量の映像情報を記憶しておくことができる。この装置によると、ディスプレイで映画等の映像情報を表示することができる。
【発明を実施するための最良の形態】
【０００８】
ここでは、下記の実施例に記載の技術の主要な特徴をまとめておく。
（形態１）音再生信号生成装置は、ハードディスクを内蔵しない状態で製造される。ケーシングを開けることによってハードディスクを後付けすることができる。この形態の技術思想を以下にまとめておく。
即ち、本形態では、ポータブル式の音再生信号生成装置を提供する。この装置は、ハードディスクを収容するスペースが設けられたケーシングと、前記した「ハードディスクを収容するスペース」を臨む位置に設けられており、ハードディスクと接続されるコネクタと、情報端末装置と通信する手段と、情報端末装置から通信された情報をハードディスクに記憶させる手段と、コネクタと接続されており、ハードディスクに記憶されている情報から音再生信号を生成する手段とを備える。そして、この装置は、ハードディスクを後付け可能に構成されている。
なお、後付けされたハードディスクを他のハードディスクに交換できるように構成することが好ましい。
（形態２）音再生信号生成装置は、ハードディスクを内蔵した状態で製造することもできる。ケーシングを開けることによって、ハードディスクを交換することができる。この形態の技術思想を以下にまとめておく。
即ち、本形態では、ポータブル式の音再生信号生成装置を提供する。この装置は、ハードディスクを収容するスペースが設けられたケーシングと、ケーシング内に収容されたハードディスクと、前記した「ハードディスクを収容するスペース」を臨む位置に設けられており、ハードディスクと接続されるコネクタと、情報端末装置と通信する手段と、情報端末装置から通信された情報をハードディスクに記憶させる手段と、コネクタと接続されており、ハードディスクに記憶されている情報から音再生信号を生成するコントローラとを備える。そして、この装置は、ハードディスクを交換可能に構成されている。
（形態３）音再生信号生成装置は、ケーシングの一部を構成していて開閉可能な蓋が設けられている。その蓋は、音再生信号生成装置の背面に設けられている。
（形態４）音再生信号生成装置の前面には、ディスプレイと、ユーザーによって操作される操作部が設けられている。
（形態５）ケーシング内に収容されているハードディスクは、ネジによってケーシングに固定される。ハードディスクは、ネジを緩めるとケーシング外に抜き出すことができる。このときに、ネジと係合し、ハードディスクに引張り力を加えることができる抜き用部材（係合部材）を用意することが好ましい。
（形態６）音再生信号生成装置はイヤホンジャックを備えている。
（形態７）音再生信号生成装置はＵＳＢポートを備えている。このＵＳＢポートを介してパソコン等と接続することができる。
（形態８）音再生信号生成装置はＦＭ信号発信装置と接続されて用いられてもよい。
（形態９）ＦＭ信号発信装置は音再生信号生成装置を保持する部材（例えば吸盤）を有している。ＦＭ信号発信装置は、音再生信号生成装置の背面と接触する接触面を有しており、その接触面が向く角度を変化させることができるようにするとよい。例えば、その接触面が、ＦＭ信号発信装置の設置面に対して垂直になる状態と設置面に対して平行になる状態との間で変位するようにしてもよい。
（形態１０）音再生信号生成装置はディスプレイを備える。このようにすると、種々の情報を表示することができる。
【実施例】
【０００９】
（第１実施例）図面を参照して本発明の実施例を説明する。図１は、本実施例に係る音再生信号生成装置１０を斜め前から見ている斜視図を示している。図２は、音再生信号生成装置１０を斜め後から見ている斜視図である。
本実施例の音再生信号生成装置１０は、各構成部品を収容するケーシング２０を有している。ケーシング２０は略直方体形状である。音再生信号生成装置１０は、非常にコンパクトであり、持ち運びが容易である。
図１によく示されるように、音再生信号生成装置１０の前面２０ａに、ディスプレイ１２と操作部１４が設けられている。ディスプレイ１２には種々の情報が表示される。例えば、後述するハードディスク３０（図２に示されている）の空き容量が表示されたり、現在出力されている音楽の曲番が表示されたりする。ユーザーは、操作部１４を操作することによって、ハードディスク３０に記憶されている音源情報（典型的には楽曲）を再生させることができる。
音再生信号生成装置１０は、ハードディスク３０に記憶されている音源情報を音再生信号に変換して出力するものである。音再生信号に変換するための具体的構成については後で説明する。生成された音再生信号は、イヤホンジャック５４（図６、図８参照）を介して外部に出力される。
【００１０】
図２に示されるように、ケーシング２０の背面２０ｂには蓋２２が設けられており、その蓋２２を開閉することができるようになっている。蓋２２には、押圧操作部２２ａが設けられている。ユーザーは、押圧操作部２２ａを矢印Ｄ１方向に押すことで蓋２２を開けることができる。
ケーシング２０の内部には、ハードディスク３０を収容するためのスペース２０ｃが設けられている。本実施例のスペース２０ｃは、２．５インチのハードディスクを収容することができる大きさに設定されている。
ケーシング２０内の、スペース２０ｃを臨む位置には、コネクタ１６が配置されている。コネクタ１６は、スペース２０ｃにおかれたハードディスク３０と接続される。
【００１１】
図３（ａ）にはハードディスク３０とコネクタ１６の平面図が示されており、図３（ｂ）にはそれらの側面図が示されている。
ハードディスク３０は複数の接続ピン３０ａを有している。各接続ピン３０ａは等間隔に並んでいる。図３（ｂ）に示されるように、接続ピン３０ａは上下に二列に並んでいる。コネクタ１６は、ハードディスク３０の接続ピン３０ａを受け入れる複数の孔１６ａが設けられている。複数の孔１６ａは、ケーシング２０内におかれたハードディスク３０の接続ピン３０ａの配列に対応する位置に設けられている。
本実施例のコネクタ１６と接続可能なハードディスク３０は２．５インチのものである。コネクタ１６は、パソコン等から取外された２．５インチのハードディスクを受け入れることができる。
【００１２】
図４には、蓋２２が開けられたケーシング２０の部分斜視図が示されている。図４では、蓋２２が開けられたケーシング２０の開口２０ｄから、ケーシング２０内に収容されているハードディスク３０を視認することができる。
図中の符号２６ａは、ケーシング２０に固定されている固定部材である。図４では一つの固定部材２６ａしか示されていないが、図２によく示されているように、ケーシング２０内には２つの固定部材２６ａ，２６ｂが設けられている。固定部材２６ａは、その中心部から図４の矢印Ｄ２方向に切り欠かれている（切り欠かれた部分を符号２４とする）。即ち、固定部材２６ａは略コの字形状を有している。同様に、他方の固定部材２６ｂも、その中心部から矢印Ｄ２方向に切り欠かれており、略コの字形状を有している。固定部材２６ａの切り欠き部分２４にはネジ２８が挿通している。同様に、固定部材２６ｂの切り欠き部分にもネジが挿通されている。
図３（ａ），（ｂ）によく示されるように、ハードディスク３０の両側面には、それぞれネジ孔３２，３２が設けられている。ハードディスク３０がケーシング２０内に収容されている場合は、ハードディスク３０のネジ孔３２，３２にそれぞれネジ２８（図４参照）が螺合される。上記した固定部材２６ａ，２６ｂは、ハードディスク３０のネジ孔３２，３２に対応する位置に設けられている。即ち、固定部材２６ａを挿通しているネジ２８は、ハードディスク３０のネジ孔３２に螺合する。ネジ２８を強く締付けると、ネジ２８の頭（ネジ２８の頭のハードディスク３０側の面）が固定部材２６ａに当接する。これにより、ハードディスク３０がケーシング２０内で強く固定されることになる。
【００１３】
後でも詳しく説明するが、本実施例の音再生信号生成装置１０はハードディスク３０を交換することができる。ハードディスク３０をケーシング２０から取出す（抜く）ときは、次の手順で行なわれる。
（１）ハードディスク３０に螺合しているネジ２８（２つのネジ）を緩める。各ネジ２８は完全に抜くことなく緩めた状態で維持しておく。
（２）図４によく示される抜き用部材３４を用意する。これは、ユーザーが保管しておくものである。ここでは、抜き用部材３４の構成について説明しておく。
抜き用部材３４は、長手部分３４ａと、その長手部分３４ａの一端から９０度折れ曲がって形成された側方部分３４ｂとから構成されている。長手部分３４ａは、ハードディスク３０の横幅（図３（ａ）の縦方向の幅）とほぼ同じ長さに設定されている。抜き用部材３４は、弾性変形する材料によって構成されており、長手部分３４ａを曲げ変形させることができる。
図４では図示省略されているが、側方部分３４ｂと同様に、長手部分３４ａの他端からも側方部分が伸びている。２つの側方部分は同じ方向に伸びている。側方部分３４ｂには、孔３６が設けられている。孔３６は、大径の孔（大孔）３６ａと小径の孔（小孔）３６ｂとが組み合わさって形成されている。他方の側方部分にも、側方部分３４ｂと同様に同様に孔が設けられている。大孔３６ａは、ネジ２８の頭の径よりも大きく設定されている。小孔３６ｂは、ネジ２８のネジ溝部分の径よりも大きく設定されているとともに、ネジ２８の頭の径よりも小さく設定されている。
（３）抜き用部材３４を用意すると、その長手部分３４ａを曲げ変形させながら、孔３６（２つの側方部分の孔）にネジ２８（２つのネジ）の頭を差込む。
（４）続いて、長手部分３４ａを持って、抜き用部材３４を矢印Ｄ２方向に引く。固定部材２６ａには切り欠き２４が設けられているために、ネジ２８が矢印Ｄ２方向に移動するのが固定部材２６ａによって妨げられることはない。ネジ２８とハードディスク３０が一体となって矢印Ｄ２方向に移動することができる。これにより、ハードディスク３０がケーシング２０から抜かれることになる。
【００１４】
図５には、音再生信号生成装置１０の分解斜視図が示されている。ここで使用する方向は図５の紙面上の方向を意味する。
ケーシング２０は、表ケーシング１２０ａと裏ケーシング１２０ｂとが組み合わさって構成されている。以下では、ケーシング２０のことを全体ケーシングと称することにする。表ケーシング１２０ａには、長方形状の孔１２２と円形状の小さい孔群１２４が設けられている。長方形状の孔１２２の縁には、外側カバー８０（これは図１でも示されている）が上方から嵌め込まれる。また、表ケーシング１２０ａの孔１２２の下方からは、透明の保護カバー８２が接続される。そして、保護カバー８２の下方にはディスプレイ（ＬＣＤパネル）１２が接続される。表ケーシング１２０ａの孔１２２からは、保護カバー８２を介してディスプレイ１２を視認することができる。ディスプレイ１２の下方には、回路基板８６が装着される。回路基板８６の下面には、コネクタ１６が固定されている。回路基板８６に接するようにしてバッテリ８８が配置される。このバッテリ８８は、表ケーシング１２０ａ内に収容される。
回路基板８６と表ケーシング１２０ａとの間には、複数のスイッチ群からなる操作部１４とセンサ９０が配置される。操作部１４の各スイッチは、表ケーシング１２０ａの小孔群１２４に下方から嵌り込む。これにより、小孔群１２４から操作部１４が突出することになり、ユーザーによって各スイッチを押すことができるようになる。センサ９０は、各スイッチに対応して設けられている。センサ９０は、スイッチが押されたことを検知する圧電センサである。
以上に説明したように、表ケーシング１２０ａには、保護カバー８２、ＬＣＤパネル１２、回路基板８６、バッテリ８８、操作部１４、及びセンサ９０が収容される。
裏ケーシング１２０ｂには、ハードディスク３０を収容するためのスペース２０ｃが設けられている。図５をみると、全体ケーシング２０の蓋２２（図５では図示省略している；図２参照）が開かれたときの開口２０ｄがよく示されており、その開口２０ｄが、ハードディスク３０を通過させることができる大きさであることがよくわかる。
表ケーシング１２０ａと裏ケーシングｂは、図示しない部材によって固く結合される。これにより、各ケーシング１２０ａ，１２０ｂを容易に分離することができなくなっている。
【００１５】
図６は、音再生信号生成装置１０の制御系の構成を示したブロック図である。図６では、全体ケーシング２０を仮想線（二点鎖線）で示している。音再生信号生成装置１０の外観で視認できる構成部材は、仮想線２０の外側にはみ出すように表現している。
音再生信号生成装置１０はシステムコントローラ７４とＭＰ３コントローラ６４を有しており、これらによって装置１０の動作が統括的に制御される。コントローラ６４，７４の動作については後で説明する。コントローラ６４，７４のハード構成は、通常のものと同様であり、ここでは詳しく説明しない。
システムコントローラ７４には、ＬＣＤパネル（ディスプレイ）１２と、センサ９０と、ＵＳＢインターフェイス５０と、コネクタ（ＩＤＥインターフェース）１６と、ＬＥＤ発光回路５２と、ＭＰ３コントローラ６４と、ＳＤＲＡＭ６８と、ＦｌａｓｈＲＯＭ７０等が接続されている。
ＬＣＤパネル（ディスプレイ）１２は、ＬＣＤインターフェイス７２を介してシステムコントローラ７４と接続されている。コントローラ７４から出力された映像信号に応じた映像がＬＣＤパネル１２で表示される。
センサ９０は、操作スイッチ１４の操作を検知して検知信号をシステムコントローラ７４に送る。システムコントローラ７４は、センサ９０から送られてきた信号に応じた処理を実行する。例えば、ディスプレイ１２に所定の情報を表示させる処理を実行する。また、例えば、ハードディスク３０に記憶されている音源情報（例えば楽曲情報）をＭＰ３コントローラ６４に送る処理を実行する。
ＵＳＢインターフェイス５０とパソコンとを接続することによって、パソコンから出力されたデータを取り込むことができる。本装置１０は、パソコンと通信可能に接続することができる。例えば、パソコンから音源情報を取り込むことができる。
システムコントローラ７４は、コネクタ１６を介して、ハードディスク３０に記憶されている情報を読み込むことができる。システムコントローラ７４は、ハードディスク３０に情報を記憶させることもできる。
ＬＥＤ発光回路５２は、全体ケーシング２０に配置された種々のランプに相当するものであり、システムコントローラ７４の指示に応じて点灯したり消灯したりする。
ＳＤＲＡＭ６８は、４Ｍｂｉｔ×４の容量を持つ記憶装置であり、コントローラ７４の動作に伴なって各種情報を一時的に記憶する。
ＦｌａｓｈＲＯＭ７０には、システムコントローラ７４が各種処理を実行するためのプログラムが格納されている。例えば、パソコンから通信されてきた情報をハードディスク３０に記憶させる処理、ハードディスク３０に記憶されている音源情報を読み込んでＭＰ３コントローラ６４に送る処理等を実行するためのプログラムが格納されている。
【００１６】
ＭＰ３コントローラ６４は、システムコントローラ７４と通信可能に接続されている。ＭＰ３コントローラ６４は、システムコントローラ７４から送られてくる音源情報を音再生信号に変換する（即ち音再生信号を生成する）機能を有する。さらに、生成された音再生信号をイヤホンジャック５４を介して出力させる機能を有する。イヤホンジャック５４は、ＤＡＣ６０を介してＭＰ３コントローラ６４と接続されている。
また、ＭＰ３コントローラ６４には、ＭＩＣ入力回路６２が接続されており、そのＭＩＣ入力回路６２は内蔵ＭＩＣ５６と接続されている。内蔵ＭＩＣ５６で取り込まれた音がＭＩＣ入力回路６２でデジタル化され、ＭＰ３コントローラ６４に取り込まれる。ＭＰ３コントローラ６４は、取り込んだ音源情報をシステムコントローラ７４に送ることができる。この場合、システムコントローラ７４は、送られてきた音源情報をハードディスク３０に記憶させることができる。
なお、全体ケーシング２０内には、バッテリ８８が内蔵されている。バッテリ８８は、ＤＣジャック５８と接続されている。
【００１７】
本実施例の音再生信号生成装置１０は、ＵＳＢＩＦ５０を有しており、パソコンと接続することができる。本装置１０は、パソコンの外部ハードディスクとして機能することができる。パソコンから送られてきた情報は、システムコントローラ７４によってハードディスク３０に記憶（固定）させられる。例えば、（インターネット等を介してダウンロードされて）パソコンに記憶されている音楽情報をハードディスク３０に記憶させることができる。なお、パソコンから送られてくる音源情報等の各種情報は、ハードディスク３０に記憶させるかわりに、ＳＤＲＡＭ６８に記憶させることもできる。
ハードディスク３０に記憶されている音源情報は、ＭＰ３コントローラ６４で音再生信号に変換され、イヤホンジャック５４を介して外部に出力される。イヤホンジャック５４にイヤホンが接続されている場合、ユーザーは、ＭＰ３コントローラ６４で生成された音再生信号に応じた音をイヤホンから聞くことができる。
【００１８】
本実施例の音再生信号生成装置１０は、ハードディスク３０を内蔵しないで製造することができる。全体ケーシング２０に蓋２２が設けられており、それを開けることによってハードディスクを挿入することができる。即ち、ハードディスクを後付けすることができる。音再生信号生成装置１０は、例えば、不要になったパソコンのハードディスクを後付けすることができる。ハードディスクを再利用することができる。また、後付けされたハードディスクを交換することができる。ユーザーのニーズに応じた容量のハードディスクに付け替えることができる。
また、本実施例の音再生信号生成装置１０は、ハードディスク３０を内蔵した状態で製造することもできる。この場合、ハードディスク３０を他のものに交換することができる。必要に応じてハードディスクの記憶容量を多く（又は少なく）することができる。
上述したように、ハードディスク３０は、全体ケーシング２０内ではネジ２８によって固定部材２６ａ，２６ｂに固定される。このために、振動等によってコネクタ１６とハードディスク３０が分離してしまうことを防止できる。そうではあるが、ネジ２８を緩めれば、抜き用部材３４（図４参照）を用いてハードディスク３０を容易に抜くことができる。利便性に優れている。
【００１９】
図７や図８に示されるように、本実施例に係る音再生信号生成装置１０は、イヤホンジャック５４を介してＦＭ信号発信装置１００と接続することもできる。図７は、音再生信号生成装置１０とＦＭ信号発信装置１００とを斜め前から見た斜視図である。図８は、音再生信号生成装置１０とＦＭ信号発信装置１００とを斜め後から見た斜視図である。
ＦＭ信号発信装置１００は接続線１０２を有している。図８によく示されるように、接続線１０２は、ＦＭ信号発信装置１００の背面から伸びている。接続線１０２は、音再生信号生成装置１０のイヤホンジャック５４に接続されている。ＦＭ信号発信装置１００は、音再生信号生成装置１０で生成された音再生信号を入力することができる。
ＦＭ信号発信装置１００は、音再生信号生成装置１０で生成された音再生信号を入力し、入力された音再生信号をＦＭ信号に変調し、変調されたＦＭ信号を無線出力する。ＦＭ信号に変調するための装置やＦＭ信号を出力する装置等の具体的な構成は従来のものと同様であればよく、その説明を省略する。
ＦＭ信号発信装置１００の側面には、電源部１０４とチャネル切換え部１０６が設けられている。ユーザーは、電源部１０４やチャネル切換え部１０６を操作することによってＦＭ信号生成装置１００を使用する。
【００２０】
図８によく示されるように、ＦＭ信号発信装置１００の上面には、吸盤保持部１０８が固定されている。吸盤保持部１０８は、略円筒形状であり、その中央部に孔１０８ａが設けられている。孔１０８ａの内部には、円柱状のピン（図示省略）が左右方向に伸びて配置されている。このピンの両端は、吸盤保持部１０８の側面に設けられた２つのピン保持部１０８ｂ，１０８ｃで保持されている。２つのピン保持部１０８ｂ，１０８ｃは、ピンをその周方向に回転可能に保持している。
吸盤保持部１０８は吸盤１１０を保持している。この吸盤１１０には、吸盤保持部１０８の上記したピンが隙間なく貫通している。上記したピンは周方向に回転可能であるために、吸盤１１０に力を加えるとピンが回転し、吸盤１１０が揺動できるようになっている。吸盤保持部１０８の孔１０８ａは、後方側が閉じられている。従って、吸盤１１０は、孔１０８ａの後方側の内壁よりも後方に揺動できないようになっている。孔１０８ａの前方側は開放されている。即ち、吸盤１１０が孔１０８ａを越えて前方に揺動できるようになっている。
吸盤１１０の吸着面１１０ａは、吸盤１１０の揺動位置によって向きを変える。吸盤１１０が最も後方に揺動した場合は吸着面１１０ａが真上を向き、吸盤１１０が最も前方に揺動した場合は吸着面１１０ａが前方を向く。即ち、本実施例の吸盤１１０は９０°の角度範囲にわたって揺動することができる。図７や図８では、吸着面１１０ａが斜め上方を向いている。
【００２１】
吸盤１１０は音再生信号生成装置１０を保持するために設けられている。
図７や図８では、吸盤１１０の吸着面１１０ａが音再生信号生成装置１０の背面２０ｂに吸着している様子が示されている。吸着面１１０ａは斜め上方を向いており、これにより音再生信号生成装置１０のディスプレイ１２も斜め上方を向いている。なお、上記した吸盤保持部１０８は、音再生信号生成装置１０の重みだけでは吸盤１１０が揺動しないように設定されている。これにより、吸着面１１０ａが斜め上方を向いた状態で音再生信号生成装置１０を吸着させても吸盤１１０が揺動せず、ユーザーが設定した角度で音再生信号生成装置１０が保持される。
【００２２】
本実施例のＦＭ信号発信装置１００は、平面視された場合に音再生信号生成装置１０とＦＭ信号発信装置１００とが重複するようにして音再生信号生成装置１０を保持することができる。このために、音再生信号生成装置１０とＦＭ信号発信装置１００をコンパクトにまとまった状態で配置することができる。設置スペースが限られている自動車内でも使用することができる。また、ディスプレイ１２が非常に見易い。
【００２３】
（第１実施例の変形例）
ここでは、第１実施例と異なる点を説明する。
本実施例のシステムコントローラ７４（図６参照）は、ハードディスク３０に記憶されている映像情報から映像再生信号を生成する機能を有する。さらに、生成された映像再生信号に応じた映像をディスプレイ１２で表示させる機能を有する。ユーザーは、ハードディスク３０に映像情報（例えば映画の画像データや音源データ）を記憶させることによって、その映像情報をディスプレイ１２で見ることができる。その際に、ＭＰ３コントローラ６４が音声を出力させるようにすることはいうまでもない。
本実施例の音再生信号生成装置１０（映像再生装置ともいえる）は、映像情報を表示することができる。これは、記憶容量の大きいハードディスク３０を搭載しているために実現することができる。
【００２４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００２５】
【図１】音再生信号生成装置を斜め前から見た斜視図である。
【図２】音再生信号生成装置を斜め後から見た斜視図である。
【図３】（ａ）ハードディスクとコネクタの平面図である。（ｂ）同側面図である。
【図４】蓋が開かれたケーシングの部分斜視図である。
【図５】音再生信号生成装置の分解斜視図である。
【図６】音再生信号生成装置の制御系の構成を示すブロック図である。
【図７】音再生信号生成装置とＦＭ信号発信装置を斜め前から見た斜視図である。
【図８】音再生信号生成装置とＦＭ信号発信装置を斜め後から見た斜視図である。
【符号の説明】
【００２６】
１０・・音再生信号生成装置
１２・・ディスプレイ
１４・・操作部
１６・・コネクタ
２０・・ケーシング
２２・・蓋
３０・・ハードディスク
５０・・ＵＳＢインターフェイス
６４・・ＭＰ３コントローラ
７４・・システムコントローラ
【図１】
2005135468.tif 000003
【図２】
2005135468.tif 000004
【図３】
2005135468.tif 000005
【図４】
2005135468.tif 000006
【図５】
2005135468.tif 000007
【図６】
2005135468.tif 000008
【図７】
2005135468.tif 000009
【図８】
2005135468.tif 000010